(57)【要約】  【課題】  表示パネルの局部的な温度上昇を抑制可能な表示装置を提供する。  【解決手段】  複数の画素が面状に配され、各画素において発光量を制御することにより画像が表示されるPDP50と、PDP50の背面に沿って配設されるシャシ54と、制御を実行するドライバIC56aとを有する表示装置であって、シャシ54主面上であって、互いに離れて位置する第1接続領域及び第2接続領域からそれぞれ延出されている第2脚部55c及び第2脚部と、第2脚部55cと第2脚部とに跨って架設され、その主面にドライバIC56aが熱結合されている支持部55aとを備え、画像表示時における第1接続領域と第2接続領域との温度差が、ドライバIC56a単独で熱絶縁されたと仮定した場合と比べて、同等又はそれ以下となるように、第1脚部55bを経由してドライバIC56aから第１接続領域に至る第1伝熱経路及び第2脚部55cを経由してドライバIC56aから第2接続領域に至る第2伝熱経路の各熱抵抗が設定されている。  【選択図】  図2
2007003621.tif 000002
【特許請求の範囲】
【請求項１】
複数の画素が面状に配され、各画素において発光量を制御することにより画像が表示される表示パネルと、前記表示パネルの背面に沿って配設される放熱板と、前記制御を実行する制御素子とを有する表示装置であって、
前記放熱板主面上であって、互いに離れて位置する第１領域及び第２領域からそれぞれ延出されている第１脚部及び第２脚部と、
前記第１脚部と前記第２脚部とに跨って架設され、その主面に前記制御素子が熱結合されている支持体とを備え、
画像表示時における前記第１領域と前記第２領域との温度差が、前記制御素子単独で熱絶縁されたと仮定した場合と比べて、同等又はそれ以下となるように、前記第１脚部を経由して前記制御素子から前記第１領域に至る第１伝熱経路及び前記第２脚部を経由して前記制御素子から前記第２領域に至る第２伝熱経路の各熱抵抗が設定されていることを特徴とする表示装置。
【請求項２】
前記第１伝熱経路の長さが、前記第２伝熱経路の長さよりも長くなっており、
前記各熱抵抗の設定は、前記第１脚部の熱抵抗を前記第２脚部の熱抵抗よりも小さくすることによりなされることを特徴とする請求項１に記載の表示装置。
【請求項３】
前記支持体の熱抵抗は、前記第１脚部の熱抵抗よりも小さいことを特徴とする請求項２に記載の表示装置。
【請求項４】
前記第１脚部及び前記第２脚部の各熱抵抗の設定は、前記第１脚部の熱流路断面積を前記第２脚部の熱流路断面積よりも大きくすることによりなされることを特徴とする請求項３に記載の表示装置。
【請求項５】
前記第１脚部と前記第２脚部とは異なる材質からなり、
前記第１脚部及び前記第２脚部の各熱抵抗の設定は、前記第２脚部よりも前記第１脚部の方が熱伝導率の大きな材料を用いることによりなされることを特徴とする請求項３に記載の表示装置。
【請求項６】
前記制御素子は、前記放熱板の縁部に沿って複数配されており、
前記第１領域及び前記第２領域は、前記制御素子の配設方向と直交する方向における位置が異なっていることを特徴とする請求項１から５のいずれかに記載の表示装置。
【発明の詳細な説明】
【技術分野】
【０００１】
近年、コンピュータやテレビ等に用いられている薄型軽量化が図られたディスプレイデバイスとして、プラズマディスプレイ装置及び液晶ディスプレイ（以下、「LCD」という。）などが急速に普及している。
これらの表示装置における共通の構成として、画素毎の出射光量を制御することにより画像が表示される表示パネルと前記出射光の光量を制御するドライバＩＣを備えている。
【０００２】
このドライバＩＣの他にも多数の電子部品が用いられているが、画像処理を高速で実施する回路が集積されている上記ドライバＩＣは、特に高温となり易い。
このため、表示パネルにおいて、上記ドライバＩＣの配設されている領域の温度が、それ以外の領域の温度に比べて高くなる傾向にある。
プラズマディスプレイ装置では、プラズマ放電を利用して画像を表示させており、表示パネルの温度が局所的に高まると、放電条件が不均一となり、色再現性が悪化するという問題がある。
【０００３】
また、ＬＣＤでは、表示パネルの温度が高まる程、寿命が早まる傾向にあり、表示パネルの温度が局所的に高まると、温度の高い部分の表示性能が経時的に低下し、やはり色再現性が悪化するという問題がある。
このため、プラズマディスプレイ装置やＬＣＤ等の表示装置では様々な放熱対策がとられている。
【０００４】
例えば、一般的な放熱対策として、表示パネルや制御回路を収納する筐体に通気口を形成するとともに、当該通気口の近傍に冷却ファンを配設している。
これにより、表示パネルや制御回路を構成する電子部品からの発熱によって温められた空気を、冷却ファンにより通気口から筐体外部へ強制的に放出することができるので、表示装置の放熱効率を高めることができる（例えば、特許文献１）。
【特許文献１】特開２０００−１５６５８１号公報
【発明の開示】
【発明が解決しようとする課題】
【０００５】
しかしながら、近年、プラズマディスプレイ装置及びＬＣＤなどの表示装置では、画面の大型化、高精細化が進み、画素も飛躍的に増大しており、画素の光量を制御する制御回路、特にドライバＩＣへの負荷がますます高まる傾向にある。
また、省コスト及び省スペース化の要請により、ドライバＩＣの数を半減させる試みがなされている。しかし、ドライバＩＣを半減させ、従来同様にプラズマディスプレイ装置を動作させるためには、ドライバＩＣの駆動周波数を２倍にする必要があり、また、ドライバＩＣのパネル配線負荷容量は２倍になる。
【０００６】
ドライバＩＣの発熱量は、負荷容量と駆動周波数の積に比例するので、上述の高性能ドライバＩＣ１個あたりの発熱量は、従来のドライバＩＣの４倍にも増加する。
このような背景のもと、近年、ドライバＩＣからの発熱量は大きくなっており、従来の放熱対策ではもはや対処できず、表示パネルの局部的な温度上昇が避けられないという問題が生じた。
【０００７】
また、このドライバＩＣには、表示パネルに接続するためのフレキシブルケーブルが付設されている。
このフレキシブルケーブルは、コスト的及び電気特性上の要請により、フレキシブルケーブルの長さをできるだけ短くする必要がある。
そのため、ドライバICを表示パネル下辺部に配設しなければならないという位置的制約が生じ、上記放熱対策をより困難なものにしている。
【０００８】
本発明は、このような問題を解決しようとなされたものであって、表示パネルの局部的な温度上昇を抑制可能な表示装置を提供することを目的とする。
【課題を解決するための手段】
【０００９】
上記目的を達成するために、本発明に係る表示装置は、複数の画素が面状に配され、各画素において発光量を制御することにより画像が表示される表示パネルと、前記表示パネルの背面に沿って配設される放熱板と、前記制御を実行する制御素子とを有する表示装置であって、前記放熱板主面上であって、互いに離れて位置する第１領域及び第２領域からそれぞれ延出されている第１脚部及び第２脚部と、前記第１脚部と前記第２脚部とに跨って架設され、その主面に前記制御素子が熱結合されている支持体とを備え、画像表示時における前記第１領域と前記第２領域との温度差が、前記制御素子単独で熱絶縁されたと仮定した場合と比べて、同等又はそれ以下となるように、前記第１脚部を経由して前記制御素子から前記第１領域に至る第１伝熱経路及び前記第２脚部を経由して前記制御素子から前記第２領域に至る第２伝熱経路の各熱抵抗が設定されていることを特徴とする。
【発明の効果】
【００１０】
表示パネルの局部的な温度上昇を抑制するためには、表示パネルの裏面に配された放熱板への局部的な熱伝導を抑制する必要がある。
通常、制御素子の発熱量が大きいため、この熱をできるだけ分散させて放熱板に伝導させることが望ましい。
特に、放熱板の第１領域及び第２領域では、制御素子で生じた熱が伝導するため、温度が上昇するが、このとき第１領域及び第２領域の一方に熱伝導が集中しないようにする必要、即ち、熱伝導をできるだけ均等に行う必要がある。
【００１１】
このような背景のもと、上記構成により、画像表示時における前記第１領域と前記第２領域との温度差が、前記制御素子単独で熱絶縁されたと仮定した場合と比べて、同等又はそれ以下となるように、前記第１伝熱経路及び前記第２伝熱経路の各熱抵抗が設定されているため、放熱板の局部的温度上昇が抑制される。
また、前記第１伝熱経路の長さが、前記第２伝熱経路の長さよりも長くなっており、前記各熱抵抗の設定は、前記第１脚部の熱抵抗を前記第２脚部の熱抵抗よりも小さくすることによりなされることが望ましい。
【００１２】
制御素子から放熱板に至る２つの熱伝導経路の長さが互いに異なっている場合、熱抵抗が最も小さい伝熱経路、即ち、短い伝熱経路が支配的となる。
つまり、短い伝熱経路からの熱影響を受ける放熱板の第２領域が、最も温度上昇し易い。
上記構成によって、長い第１伝熱経路及び短い第２伝熱経路において、それぞれの熱抵抗の差を縮めるように、第１脚部と第２脚部の熱抵抗がそれぞれ設定されているため、第１伝熱経路及び第２伝熱経路において均等に熱が伝導し易く、第１領域及び第２領域の局所的な温度上昇が生じ難い。
【００１３】
また、前記支持体の熱抵抗は、前記第１脚部の熱抵抗よりも小さくすることが望ましい。
これにより、前記支持体の熱抵抗が、前記第１脚部の熱抵抗よりも小さく、また、前記第２脚部の熱抵抗よりも小さため、熱伝導の源流となる部分で律速が生じ難い。
このため、前記第１脚部及び前記第２脚部の各熱抵抗を設定することにより、第１伝熱経路及び第２伝熱経路の各熱抵抗の設定に大きく寄与させることができる。
【００１４】
また、前記第１脚部及び前記第２脚部の各熱抵抗の設定は、前記第１脚部の熱流路断面積を前記第２脚部の熱流路断面積よりも大きくすることによりなされることが望ましい。
これにより、少なくとも第１脚部と第２脚部とが同じ熱伝導係数を有する同一の材料からなる場合であっても、形状、即ち、加工によって上述の熱抵抗に設定に対応することができる。
【００１５】
また、前記第１脚部と前記第２脚部とは異なる材質からなり、前記第１脚部及び前記第２脚部の各熱抵抗の設定は、前記第２脚部よりも前記第１脚部の方が熱伝導率の大きな材料を用いることによりなされるとしてもよい。
上記構成によって、前記第１脚部と前記第２脚部の材質を変更することにより、容易に熱抵抗を設定することができる。
【００１６】
また、前記制御素子は、前記放熱板の縁部に沿って複数配されており、前記第１領域及び前記第２領域は、前記制御素子の配設方向と直交する方向における位置が異なっていることが望ましい。
通常、熱源である制御素子は複数あって、各制御素子は、放熱板裏面の一辺に沿って配されている。
【００１７】
上記構成により、制御素子の配設方向と直交する方向、即ち、熱源が少なく温度が低い方向に、第１領域及び第２領域を設けて温度勾配を高めることにより放熱効率が高められる。
【発明を実施するための最良の形態】
【００１８】
（実施の形態）
（構成）
図１は、本実施の形態におけるプラズマディスプレイ装置の分解斜視図である。
このプラズマディスプレイ装置１０は、表示パネルの一例としてのプラズマディスプレイパネル（以下、「ＰＤＰ」と表記する。）５０と、放熱を行うシャシアッセンブリ４９とがケース２０内に収納され、ＰＤＰ５０を支持する支持体４０がケース２０の下部から下方に延出されてなる。
【００１９】
ＰＤＰ５０は、複数の副画素に対応する放電セルが面状に配され、放電セル毎に放電回数が制御されることによって画像を表示するパネルであって、前面パネル５１と背面パネル５２とが重ね合わされ、さらにその周縁部同士が接合されてなる。
ここで、上記副画素とは、ＲＧＢの３原色の各色成分に対応する画素を意味し、ＲＧＢの３つの副画素が１画素を構成する。
【００２０】
前面パネル５１と背面パネル５２との間には、放電ガスが封入されている。
便宜的に、前面パネル５１、背面パネル５２及びシャシアッセンブリ４９を構成している後述する各部材における主面については、画像表示に寄与する光の放射方向と同方向に向いている主面を前側主面と言うこととし、上記放射方向と相反する方向に向いている主面を後側主面と言うこととする。
【００２１】
前面パネル５１は、ガラス製の基板の前側主面上に、表示電極対（不図示）、誘電体層（不図示）、保護層（不図示）が順に配されてなる。
一方、背面パネル５２は、背面ガラス基板の前側主面上にアドレス電極（不図示）、誘電体層（不図示）、隔壁（不図示）が順に配され、隔壁同士の間に蛍光体層（不図示）が形成されている。なお、蛍光体層は、赤、緑、青の順で繰返し配列されている。
【００２２】
前面パネル５１と背面パネル５２とは、周縁部がシール材によって貼り合わせられ、両パネルの間隙は、ストライプ状の隔壁で仕切られることによって放電空間が形成され、当該放電空間内には上述の通り放電ガスが封入されている。
上記構成により、ＰＤＰ５０の後側主面に設けられた制御回路（不図示）からの信号を受けて、画像表示面５３に映像が表示される。
【００２３】
シャシアッセンブリ４９は、ＰＤＰ５０の裏面に貼付されることにより、前記ＰＤＰ５０の面剛性を向上させ、さらに放熱を促進する部材である。
シャシアッセンブリ４９は、矩形板状であって放熱板の一例としてのシャシ５４の後側主面上における下辺部に、断面形状がコの字型で長尺な補強部材５５が沿設され、補強部材５５の後側主面に、ドライバＩＣ５６aが貼付されてなる。
【００２４】
上記貼付には、例えば、シリコンペーストやエチレンプロピレンゴム等の熱伝導性接着剤５７（未図示）が用いられる。
シャシ５４は、アルミニウム等の熱伝導性能に優れた材料からなり、鉛直方向における長さが６００ｍｍ、水平方向における長さが９６０ｍｍ、板厚２．５ｍｍの矩形形状の板体であり、ＰＤＰ５０の背面パネル５２の後側主面に、例えば、シリコンペースト等の熱伝導性接着剤５７によって接合されている。
【００２５】
上記ドライバＩＣ５６aは、底面からＰＤＰ５０の電極に接続するフレキシブルケーブル５６bが延出されている。
このフレキシブルケーブル５６bは、高価なケーブルであり、複数存在することから、コストダウン及び回路インピーダンス低減を目的とする短縮化が望まれる。
補強部材５５は、上述したようにコの字の断面形状を有するアルミニウム製の長尺体である。
【００２６】
さらに、ここで便宜上、コの字の横断面形状を有する補強部材５５において、上記コの字における対象軸が上記コの字と直交する平坦な部位を支持部５５ａといい、この支持部５５ａの両端に繋がり、支持部５５ａの主面に直交する部分であって、上側に位置するものを第１脚部５５ｂといい、下側に位置するものを第２脚部５５ｃということとする。
以下、補強部材５５を構成している支持部５５ａ、第１脚部５５ｂ及び第２脚部５５ｃにおいて、熱伝導方向と直交する方向における厚み同士を比較すると、支持部５５ａの厚みをｔ０、第１脚部５５ｂの厚みをｔ２、第２脚部５５ｃの厚みをｔ３とするとき、ｔ０、ｔ１、ｔ２は、以下に示す式１の関係にある。
（式１）  ｔ０＞ｔ１＞ｔ２
また、支持部５５ａの鉛直方向における長さは、８０ｍｍであり、水平方向における長さは、９６０ｍｍである。
【００２７】
ドライバＩＣ５６aは、フレキシブルケーブル５６bの長さを短かく抑えるために、上記支持部５５ａ後側主面の下辺部に熱伝導性接着剤５７を介して固定されている。
より具体的には、ｔ０、ｔ１及びｔ２の各厚みは、それそれ１．５ｍｍ、０．５ｍｍ及び１．５ｍｍである。
さらに、この補強部材５５の存在によって、補強部材５５の配設場所であるシャシ５４の下辺部の剛性が向上し、主としてこの補強部材５５が支持されることにより、ＰＤＰ５０全体が支持されるので、従来のシャシの厚みが、従来１．５ｍｍであったものが、本実施の形態におけるシャシ５４では、１．５ｍｍにまで薄くすることができ、これによって、補強部材５５が増えたことにより質量増加を相殺することができ、結果的に従来と同等の重量に抑えることができた。
【００２８】
ケース２０は、樹脂製のフロントケース２２とリアケース２４とから構成されている。
フロントケース２２とリアケース２４とは嵌合して一つの筐体をなす。
フロントケース２２の上面及び下面には、複数の通気口２６（下面の通気口は不図示）が形成されており、また、その前面にはＰＤＰ５０の画像表示面５３を保護するガラスからなる保護パネル３０が配設されている。
【００２９】
リアケース２４の上面及び下面にも、複数の通気口２６、２８が形成されている。
支持体４０は、例えば、アルミニウムからなり、台座４１と、台座４１の両端から垂直方向に延伸し、その途上でコの字に屈曲する屈曲部４２ａが形成された１対の支柱４２を有する。
支柱４２には、同一方向に突出する突設部４３、４４、４５が形成されており、これら突設部４３、４４、４５及び屈曲部４２ａとシャシ５４とがネジ３により螺合されている。
【００３０】
これにより、支持体４０は、シャシ５４を介してＰＤＰ５０を支持する機能を果たしている。なお、支持体４０の突設部４３、４４、４５とシャシ５４との接合面は、例えばシリコンペースト等の熱伝導性を有する弾性部材によって密着性が高められている。
このようにＰＤＰ５０の後側主面に沿ってシャシ５４を配設することによって、背面パネル５２の後側主面の沿面方向における熱伝導性能が向上し、ＰＤＰ５０の沿面方向の熱分布がより均一化され、表示むらの発生を抑制することができる。
（補強部材５５の形状の根拠）
便宜上、ドライバＩＣ５６aから支持部５５ａの一部を通って第１脚部５５ｂ内経由し、この第１脚部５５ｂの端部に至る熱流経路を上部熱伝導経路といい、また、ドライバＩＣ５６aから支持部５５ａの一部を通って第２脚部５５ｃ内経由して、この第２脚部５５ｃの端部に至る熱流経路を下部熱伝導経路ということとする。
【００３１】
また、上部熱伝導経路及び下部熱伝導経路が繋がっているシャシ５４の領域を第１接続領域及び第２接続領域ということとする。
上述の上部熱伝導経路及び下部熱伝導経路は、それぞれ第１伝熱経路及び第２伝熱経路の一例であり、また、第１接続領域及び第２接続領域は、第１領域及び第２領域の一例である。
【００３２】
ドライバＩＣ５６aで発した熱は、上部熱伝導経路及び下部熱伝導経路の２系統からシャシ５４へと伝導し、放熱される。
上部熱伝導経路の長さＬ１が、下部熱伝導経路の長さＬ２よりも長いため、特に何も考慮しないとすれば、長さが長い上部熱伝導経路の熱抵抗が、長さの短い下部熱伝導経路の熱抵抗よりも大きくなる。
【００３３】
その場合、下部熱伝導経路を介しての熱伝導が主となり、シャシ５４における第２接続領域の温度が、第１接続領域の温度よりも高くなる。
本実施の形態におけるプラズマディスプレイ装置１０では、補強部材５５において、上述のように、支持部５５ａの厚みをｔ０、第１脚部５５ｂの厚みをｔ２、第２脚部５５ｃの厚みをｔ３とするとき、ｔ０＞ｔ１＞ｔ２の関係にある。
【００３４】
これにより、第１脚部５５ｂの熱抵抗は、第２脚部５５ｃの熱抵抗よりも小さくすることができ、上部熱伝導経路及び下部熱伝導経路の熱抵抗の差を縮小することができる。
つまり、上部熱伝導経路及び下部熱伝導経路の熱伝導量の差を縮小して、第１接続領域及び第２接続領域の温度差異を縮小することができる。
ここで、支持部５５ａの厚みｔ０が、第１脚部５５ｂの厚みｔ２及び第２脚部５５ｃの厚みｔ３よりも厚くなっているのは、熱源の付近である支持部５５ａにおいて、熱伝流路断面積が小さいことによって熱伝導に律速が生じることのないように考慮されたものである。
【００３５】
ｔ０、ｔ１及びｔ２の値は、ＰＤＰ５０の発熱及びドライバＩＣ５６aの発熱などを総合的に勘案して決められた値である。
なお、本実施の形態における上記インターフェース及びドライバＩＣ５６aをＰＤＰ５０上部近傍に設けることも考えられるが、自然対流の影響により、ＰＤＰ５０の上部は下部に比べ温度が高くなり易いため、ドライバＩＣ５６aをＰＤＰ５０の下部に設けることが望ましい。
（変形例）
本実施の形態では、支持部５５ａが第１脚部５５ｂ及び第２脚部５５ｃの２つを有するとしたが、これに限らず、図３に示すように、脚部がそれ以上の数で形成されていてもよい。
【００３６】
その場合、支持部５５ａの厚みｔ０は、上記脚部のいずれの厚みよりも厚く設定され、各脚部の厚みｔ３、ｔ４、ｔ５、ｔ６は、ドライバＩＣ５６aからシャシ５４に至る熱伝導路であって、各脚部を経由するものの長さが長いほど、その脚部の厚みが厚くなるように設定されている。
つまり、図３においては、支持部５５ａの後側主面の下辺部にドライバＩＣ５６aが配設されているため、下方にある脚部ほど、熱伝導経路の長さが短くなるので、下方に存在する脚部の厚みを、下方から上方に向かって順次ｔ３、ｔ４、ｔ５及びｔ６とすると、ｔ０＞ｔ６＞ｔ５＞ｔ４＞ｔ３の関係となる。
【００３７】
また、本実施の形態では、各脚部の熱抵抗の設定には、脚部の厚みを適切な厚みに設定することによって行っていたが、これに限らず、例えば、第１脚部と第２脚部をそれぞれ熱伝達率の異なる材質で形成することにより行ってもよい。
【産業上の利用可能性】
【００３８】
本願発明は、テレビジョン及びコンピュータ用モニタなどに用いられる表示デバイスに適用可能である。
【図面の簡単な説明】
【００３９】
【図１】本実施の形態におけるプラズマディスプレイ装置の分解斜視図である。
【図２】本実施の形態におけるＰＤＰの背面斜視図である。
【図３】本実施の形態におけるＰＤＰの変形例を示す図である。
【符号の説明】
【００４０】
３    ネジ
１０    プラズマディスプレイ装置
２０    ケース
２２    フロントケース
２４    リアケース
２６    通気口
３０    保護パネル
４０    支持体
４１    台座
４２    支柱
４３    突設部
４９    シャシアッセンブリ
５０    ＰＤＰ
５１    前面パネル
５２    背面パネル
５３    画像表示面
５４    シャシ
５５    補強部材
５５ａ  支持部
５５ｂ  第１脚部
５５ｃ  第２脚部
５６ａ  ドライバＩＣ
５６ｂ  フレキシブルケーブル
５７    熱伝導性接着剤
【図１】
2007003621.tif 000003
【図２】
2007003621.tif 000004
【図３】
2007003621.tif 000005